(57)【要約】      （修正有）【課題】飲料や冷却水といった液体を収容する容器に関するものであるが、特に酷暑に適した容器を提供する。【解決手段】容器は、第一液体を収容する本体１０と、本体１０に取り付けられ、第一液体を飲むための飲み口３５と、飲み口３５に連通された連通部とを有する蓋部３０と、蓋部３０に取り付けられるとともに本体１０内に収容され、第二液体を収容する収容部と、蓋部３０に設けられ、収容部内の第二液体を外部に供給して噴霧口５６から噴霧する供給部と、第二液体を噴霧口５６に供給するための操作を行う操作部と、を有している。蓋部３０は、連通部に連通され、飲み口３５よりも大きな横断面積からなる幅広部を有している。【選択図】図２
0003228829.tif 000002
【実用新案登録請求の範囲】
【請求項１】
第一液体を収容する本体と、
前記本体に取り付けられ、前記第一液体を飲むための飲み口と、前記飲み口に連通された連通部とを有する蓋部と、
前記蓋部に取り付けられるとともに前記本体内に収容され、第二液体を収容する収容部と、
前記蓋部に設けられ、前記収容部内の第二液体を噴霧口から噴霧する供給部と、
前記第二液体を前記噴霧口に供給するための操作を行う操作部と、
を備え、
前記蓋部は、前記連通部に連通され、前記飲み口よりも大きな横断面積からなる幅広部を有する容器。
【請求項２】
前記本体は真空断熱構造からなる、請求項１に記載の容器。
【請求項３】
前記幅広部は、一対の第一凹部を有し、
一対の第一凹部の一方は、前記飲み口に対して一方側に位置し、一対の第一凹部の他方は、前記飲み口に対して他方側に位置する、請求項１又は２に記載の容器。
【請求項４】
前記幅広部は、前記収容部又は前記収容部を取り付けるための取付部に向かって延びた延在部を有している、請求項１乃至３のいずれか１項に記載の容器。
【請求項５】
前記連通部と前記幅広部との間に、前記幅広部の頂面によって形成された段部が設けられている、請求項１乃至４のいずれか１項に記載の容器。
【請求項６】
前記噴霧口は前記蓋部に設けられた蓋凹部内に設けられ、
前記蓋凹部は、その断面形状が上方に向かうにつれて直線状に広がる構造となっている、請求項１乃至５のいずれか１項に記載の容器。
【考案の詳細な説明】
【技術分野】
【０００１】
本考案は、例えば飲料や冷却水といった液体を収容する容器に関する。
【背景技術】
【０００２】
従来から飲料を持ち運ぶための水筒等の容器が知られている。近年の夏は酷暑であり、酷暑を乗り切るための冷却グッズが注目を集めている。例えば特許文献１では、蓋式ファンが提案されている。このファンは、ファンブレードアセンブリと、ファンブレードアセンブリに接続された制御部材と、電源と、を備えている。ファンカバーと台座は連結構造によって回動連結され、ファンカバーは連結構造に沿って裏返して回動することにより台座の上表面との開閉を実現し、台座には、水筒本体の注ぎ口と結合する結合端が形成されている。
【先行技術文献】
【特許文献】
【０００３】
【特許文献１】特開２０２０―１０６０２３号公報
【考案の概要】
【考案が解決しようとする課題】
【０００４】
本考案は、飲料や冷却水といった液体を収容する容器に関するものであるが、特に酷暑に適した容器を提供する。
【課題を解決するための手段】
【０００５】
本考案において、
第一液体を収容する本体と、
前記本体に取り付けられ、前記第一液体を飲むための飲み口と、前記飲み口に連通された連通部とを有する蓋部と、
前記蓋部に取り付けられるとともに前記本体内に収容され、第二液体を収容する収容部と、
前記蓋部に設けられ、前記収容部内の第二液体を噴霧口から噴霧する供給部と、
前記第二液体を前記噴霧口に供給するための操作を行う操作部と、
を備え、
前記蓋部が、前記連通部に連通され、前記飲み口よりも大きな横断面積からなる幅広部を有してもよい。
【０００６】
本考案において、
前記本体は真空断熱構造からなってもよい。
【０００７】
本考案において、
前記幅広部は、一対の第一凹部を有し、
一対の第一凹部の一方は、前記飲み口に対して一方側に位置し、一対の第一凹部の他方は、前記飲み口に対して他方側に位置してもよい。
【０００８】
本考案において、
前記幅広部は、前記収容部又は前記収容部を取り付けるための取付部に向かって延びた延在部を有してもよい。
【０００９】
本考案において、
前記連通部と前記幅広部との間に、前記幅広部の頂面によって形成された段部が設けられてもよい。
【００１０】
本考案において、
前記噴霧口は前記蓋部に設けられた蓋凹部内に設けられ、
前記蓋凹部は、その断面形状が上方に向かうにつれて直線状に広がる構造となってもよい。
【本考案の効果】
【００１１】
本考案は、飲料や冷却水といった液体を収容する容器であって、特に酷暑において使い勝手のよい容器を提供する。本考案において、蓋部が、その裏面に飲み口よりも大きな横断面積からなる幅広部を有する態様を採用する場合には、飲料をスムーズに飲み口から出すことができる。
【図面の簡単な説明】
【００１２】
【図１】図１は、本考案の実施の形態で用いられうる容器の斜視図である。
【図２】図２は、本考案の実施の形態で用いられうる容器の一部を拡大した斜視図である。
【図３】図３は、本考案の実施の形態で用いられうる容器の平面図である。
【図４】図４は、図３の直線Ａ−Ａで切断した断面図である。
【図５】図５は、本考案の蓋部の一例を示した裏面側の斜視図である。
【図６】図６は、本考案の蓋部の一例を示した裏面側の底面図である。
【図７Ａ】図７Ａは、本考案の蓋部の別の例を示した裏面側の写真である。
【図７Ｂ】図７Ｂは、本考案の蓋部のさらに別の例を示した裏面側の写真である。
【図８】図８は、本考案の実施の形態で用いられうる容器の分解図である。
【図９】図９は、本考案の実施の形態で用いられうる容器の断面図である。
【図１０】図１０は、本考案の実施の形態の本体で用いられうる真空断熱構造等を説明するための概略断面図である。
【図１１Ａ】図１１Ａは、本考案の蓋部の裏面のさらに異なる例を示したおもて面側の平面図である。
【図１１Ｂ】図１１Ｂは、図１１Ａの直線Ｂ−Ｂで切断した断面図である。
【考案を実施するための形態】
【００１３】
実施の形態
《構成》
図１に示すように、本実施の形態の容器は、第一液体を収容する本体１０と、本体１０に取り付けられ、第一液体を飲むための飲み口３５（図２参照）と、飲み口３５に連通された連通部８０（図４参照）とを有する蓋部３０と、を有してもよい。蓋部３０の裏面には、本体１０内に収容され、第二液体を収容する収容部２０が取付部３３を介して設けられてもよい。蓋部３０には、収容部２０内の第二液体をミスト状にして噴霧口６５から噴霧する供給部５０と、第二液体を噴霧口６５に供給するための操作を行う操作部４０が設けられてもよい。本体１０には利用者が把持するための把持部１１が設けられてもよい。典型的には、第一液体は飲料用の液体であり、第二液体は身体を冷却するための液体であり、典型的には水である。
【００１４】
図４に示すように、供給部５０は、管状部材５１と、当該管状部材５１に連結され、噴霧口５６（図２参照）を有する噴霧部５５とを有してもよい。本実施の形態の操作部４０はレバー形状となっており、操作部４０を押下することで、収容部２０内の液体が管状部材５１内で吸い上げられ、噴霧部５５の噴霧口５６からミスト状の液体が噴霧されることになってもよい。なお、図４は、図３の直線Ａ−Ａで切断した断面図である。
【００１５】
図１及び図２に示すように、蓋部３０は開閉可能なキャップ３１を有し、蓋部３０を開くことで飲み口３５から飲料を飲むことができ、キャップ３１を閉じることで飲み口３５に対して蓋をすることができる。キャップ３１には飲み口３５を確実に塞ぐための密閉部７０を有してもよい。密閉部７０は弾性部材からなり、飲み口３５内に挿入されることで、飲み口３５を閉じることができるようになる。本実施の形態では、キャップ３１は枢動自在になっている。蓋部３０は典型的には樹脂材料からなっている。また、密閉部７０は飲み口３５よりも若干大きさが大きくなってもよい。このような態様を採用することで、飲み口３５を密閉部７０によって確実に密閉することができる。飲み口３５の横断面は略三角形状となってもよいし、円形状や四角形状といった多角形状となってもよい。但し、飲み口３５の横断面を略三角形状とし、一つ角が傾けた際に下方側に位置するように設計することで、飲料をスムーズに外部に出すことができる。
【００１６】
なお、キャップ３１は設けられず、飲み口３５に設けられた開閉部を操作することで、飲み口３５から飲料を飲める状態にしたり、飲み口３５を閉じた状態にしたりしてもよい。飲み口３５に案内する連通部８０は飲み口３５と概ね同じ大きさとなっており、飲み口３５の横断面積と連通部８０の横断面積との差は飲み口３５の横断面積の±５％以内となってもよい。
【００１７】
第二収容部２０は蓋部３０の取付部３３から取り外し自在となり、取り外した状態で水等の第二液体を入れ替えたりすることができる（図８参照）。本実施の形態のように、本体１０とは別に収容部２０を設けることで、本体１０内に収容される水、お茶、スポーツ飲料、ジュース等の飲料と、収容部２０内に収容される身体冷却用の水等とを分けることができる。
【００１８】
本体１０は金属からなって真空断熱構造となり、保温効果を有してもよい（図１０参照）。特に夏場等においては、本体１０内に氷を入れた状態で水、お茶、スポーツ飲料、ジュース等を入れつつ、収容部２０には水を入れておくことで、冷たい飲料を飲むことと、冷たい水で身体を冷やすことの両方が可能となる。容器は二重の金属層構造となり、金属層の間が真空となることで、真空断熱構造が実現されてよい。この場合でも、上端部のような一部においては、各金属層が連結されることにはなる。
【００１９】
図５乃至図７Ｂに示すように、蓋部３０が、連通部８０に連通し、飲み口３５及び連通部８０よりも大きな横断面積からなる幅広部６０を有してもよい。このような態様を採用することで、飲料をスムーズに連通部８０に案内し、飲み口３５から出すことができる。本実施の形態のように収容部２０を設けることで、飲み口３５へ第一液体を導くための空間に制約を受けることになる。考案者が確認したところ、特に本体１０が金属からなり、手の圧力で凹ますことができない場合には、飲料がスムーズに飲み口３５から出てこない事象が生じ得る。この点、下方側（裏面側）で連通部８０に連通し、飲み口３５よりも大きな横断面積からなる幅広部６０を設けることで、このような事象が生じ難くなり、有益であることを確認できた。
【００２０】
図５乃至図７Ｂに示すように、幅広部６０は、一対の第一凹部６１を有してもよい。一対の第一凹部６１の一方は、平面視において、飲み口３５に対して一方側に位置し（例えば図６の上方側に位置し）、一対の第一凹部６１の他方は、平面視において、飲み口３５に対して他方側に位置してもよい（例えば図６の下方側に位置してもよい）。このような態様を採用することで、これらのうちのいずれか又は両方が飲み口３５に飲料を案内したり、これらのうちのいずれか又は両方が飲み口３５に導かれる飲料によって押し出される空気等の気体の逃げ道となったりすることができ、飲料を飲み口３５からより一層スムーズに提供できる。図６に示すように、蓋部３０にバルブ９０が設けられてもよい。このようなバルブ９０を設けることで、圧抜きを行うことができ、飲料を飲み口３５からより一層スムーズに提供できる。
【００２１】
幅広部６０は、収容部２０又は収容部２０に連結された取付部３３に向かって延びた延在部６３を有してもよい。このような延在部６３を設けることで、当該延在部６３から飲料を案内したり、当該延在部６３が飲み口３５に導かれ飲料によって押し出される空気等の気体の逃げ道となったりすることができ、飲料を飲み口３５からより一層スムーズに提供できる。
【００２２】
図７Ｂに示すように、飲み口３５を挟んで延在部６３と反対側に第二凹部６５が設けられてもよい。このような第二凹部６５を設けることで、当該第二凹部６５から飲料を案内したり、当該第二凹部６５が飲み口３５に導かれる飲料によって押し出される空気等の気体の逃げ道となったりすることができ、飲料を飲み口３５からより一層スムーズに提供できる。
【００２３】
図４に示すように、噴霧口５６は蓋部３０に設けられた蓋凹部３９内に設けられてもよい。蓋凹部３９の断面形状は上方に向かうにつれて直線状に広がる構造となってもよい。この態様を採用した場合には、噴霧口５６から噴霧された第二液体をより広い範囲で噴霧させることができ、幅広い範囲で冷却効果を実現できる。
【００２４】
図９に示すように、蓋部３０と本体１０、噴霧部５５と本体１０との間にＯリングのような密閉部材７５が設けられてもよい。このような密閉部材７５を設けることで、第一液体及び第二液体が外部に漏れ出すことを防止できる。なお、蓋部３０に覆われない本体１０の高さＨは例えば２００〜４００ｍｍとなり、幅Ｗは例えば５０〜９０ｍｍとなってもよい。
【００２５】
図２に示すように、蓋部３０にはキャップ３１を枢動可能にする枢動軸が設けられた外方突出部３８が設けられてもよい。キャップ３１の開閉は、キャップ３１が枢動軸を中心として枢動することで行われてもよい。外方突出部３８には開口部３８ａが設けられてもよい。このような開口部３８ａを設けることで、フックへの引掛けや、カラビナを使ったバックへの取り付けといったことが可能となり、取り付け又は持ち運びが容易になる。キャップ３１はキャップ凹部３７を有しており、キャップ３１を開閉する際には、外方突出部３８の周縁外方をキャップ凹部３７が通過することになる。
【００２６】
また、図１１Ａ及び図１１Ｂに示すように、連通部８０と幅広部６０との間に、幅広部６０の頂面によって形成された段部３４が形成されてもよい。この態様でも、幅広部６０の横断面積は、飲み口３０の横断面積よりも大きくなってもよい。このような段部３４を設けることで、幅広部６０から連通部８０へと飲料をより一層スムーズに流し出すことができる。この点、第一凹部６１や延在部６３（特に延在部６３）が設けられることで、さらにより一層スムーズに幅広部６０から連通部８０へと飲料を流し出すことができる。
【００２７】
上述した実施の形態の記載及び図面の開示は、請求の範囲に記載された考案を説明するための一例に過ぎず、上述した実施の形態の記載又は図面の開示によって実用新案登録請求の範囲に記載された考案が限定されることはない。
【符号の説明】
【００２８】
１０        本体
２０        収容部
３５        飲み口
３０        蓋部
４０        操作部
５０        供給部
【図１】
0003228829.tif 000003
【図２】
0003228829.tif 000004
【図３】
0003228829.tif 000005
【図４】
0003228829.tif 000006
【図５】
0003228829.tif 000007
【図６】
0003228829.tif 000008
【図７Ａ】
0003228829.tif 000009
【図７Ｂ】
0003228829.tif 000010
【図８】
0003228829.tif 000011
【図９】
0003228829.tif 000012
【図１０】
0003228829.tif 000013
【図１１Ａ】
0003228829.tif 000014
【図１１Ｂ】
0003228829.tif 000015